(57)【要約】【課題】非接触ＩＣタグを内筒体または外筒体に取り付けて外表面に現さないようにして、損傷や剥離を防いでＩＣタグに書き込まれた捲装物の固有の情報を確実に読み取ることのできるＩＣタグ付き紙管を提供する。【解決手段】紙管本体１の端部内周面１ａに嵌合する内筒体２に非接触ＩＣタグ３を取り付ける。【選択図】図１
2008024504.tif 000002
【特許請求の範囲】
【請求項１】
紙管本体の端部内周面に嵌合する内筒体に非接触ＩＣタグを取り付けたことを特徴とするＩＣタグ付き紙管。
【請求項２】
紙管本体の端部内周面に肉薄の凹部を形成し、該凹部に嵌合する内筒体の内径と紙管本体の内径に段差をなくして面一に形成すると共に、内筒体に非接触ＩＣタグを取り付けたことを特徴とするＩＣタグ付き紙管。
【請求項３】
前記内筒体は、短筒状体で筒体の外周面に非接触ＩＣタグを取り付けたことを特徴とする請求項１または２記載のＩＣタグ付き紙管。
【請求項４】
前記内筒体は、鍔付き短筒状体で筒体の外周面に非接触ＩＣタグを取り付けたことを特徴とする請求項１または２記載のＩＣタグ付き紙管。
【請求項５】
前記非接触ＩＣタグは、筒体の外周面に形成された窪み部に貼着されていることを特徴とする請求項３または４に記載のＩＣタグ付き紙管。
【請求項６】
前記内筒体は、紙管本体の端部内周面に着脱自在に取り付けられていることを特徴とする請求項１〜５のいずれか１項に記載のＩＣタグ付き紙管。
【請求項７】
紙管本体の端部外周面に嵌合する外筒体に非接触ＩＣタグを取り付けたことを特徴とするＩＣタグ付き紙管。
【請求項８】
前記外筒体は、短筒状体で筒体の内周面に非接触ＩＣタグを取り付けたことを特徴とする請求項７に記載のＩＣタグ付き紙管。
【請求項９】
前記非接触ＩＣタグは、外筒体の内周面に形成された窪み部に貼着されていることを特徴とする請求項７または８に記載のＩＣタグ付き紙管。
【請求項１０】
前記外筒体は、紙管本体の端部外周面に着脱自在に取り付けられていることを特徴とする請求項７〜９のいずれか１項に記載のＩＣタグ付き紙管。
【請求項１１】
前記非接触ＩＣタグは、上下シートカバー材をラミネート加工して内部にＩＣチップとアンテナを備えた可撓性のあることを特徴とする請求項１〜１０のいずれか１項に記載のＩＣタグ付き紙管。
【発明の詳細な説明】
【技術分野】
【０００１】
本発明は、プラスチックフィルム、糸、布、紙、金属箔などの捲装物を巻き付ける紙管に関するもので、さらに詳しくは、予め書き込まれた捲装物の固有情報が分かるＩＣタグ付き紙管に関するものである。  
【背景技術】
【０００２】
従来から、各種プラスチックフィルム、各種糸条、布、紙、アルミ箔などの捲装物を巻き付ける紙管には、捲装物に何らかの問題が発生した場合の原因を究明するために、トレーサビリティ（製造履歴）の情報が必要になることがある。また、商品の流通管理や品質管理を行うのにはバーコードラベルを貼り付け、これをバーコード読み取り機で読み取ってコンピュータで管理することが行われていた。しかし、バーコードラベルは汚れや剥がれによって読み取り不能を生じる虞れがあると共に、情報量が少なくデーターの書き換えなどができないといった問題点があった。
【０００３】
このような問題点を解決するものとして、近年のＩＴ技術の著しい進歩によって、記録情報量が多く、データーの書き換え追記が自由にでき、高速に情報を読み取ることができる超小型のＩＣチップを備えるＩＣタグがバーコードラベルに代わって商品の製造、品質、流通などの管理に利用されるようになってきており、プラスチックフィルム業界、繊維業界、製紙業界、金属箔業界などでは、ＩＣタグ付きの紙管で巻きつけることが望まれており、そのためのＩＣタグ付き紙管が提案されている。
【０００４】
そのＩＣタグ付き紙管は、ＩＣタグの貼着容易性から紙管の外周面に貼り付けるのが提案されたが、この場合、運搬輸送中などに他物と接触したり衝突することによって、ＩＣチップが損傷したり、ＩＣタグが剥離したりすることから、書き込まれた固有の情報が読み取りできない虞れがあった。
【０００５】
上記のような欠点を解消するものとして、円筒形状のクッション性スポンジ体の中に非接触ＩＣタグを埋設したり、あるいは球形状のクッション性スポンジ体の表面に非接触ＩＣタグを貼着して紙管の内周面に挿入したものが知られている（例えば、特許文献１）。
【０００６】
また、紙管の内周壁面の周方向に沿って非接触ＩＣタグを貼り付けたもの（例えば、特許文献２）。あるいは巻取り製品の固有情報を格納したキャリアを保持したキャリア取り付け具により紙管の内周面に装着するものが知られている（例えば、特許文献３）。
【０００７】
【特許文献１】特開２００１−２０３５２３号公報
【特許文献２】特開２００４−７５３６６号公報
【特許文献３】特開平１０−２３５８５号公報
【発明の開示】
【発明が解決しようとする課題】
【０００８】
しかしながら、前記特許文献１のクッション性スポンジ体の中に非接触ＩＣタグを埋設したり、あるいは表面に貼着したものは、クッション性スポンジ体を圧縮して紙管の内周面に挿入しなければならず、剛直製でないため、その挿入作業が円滑に行えず手間を要すると共に、非接触ＩＣタグをスポンジ体に埋設するのにも時間を費やす欠点があった。
【０００９】
また、前記特許文献２の紙管内周面の周方向に沿って非接触ＩＣタグを貼り付けるのは、貼り付け位置が見え難く、かつ曲面部の貼り付けとなるため、正常な状態で貼るのが非常に難しく、シワの入った接着不良の状態で貼られることがあり、そうするとＩＣタグの固有情報の読み取り感度が低下するばかりか、剥がれてしまって固有の情報が読み取れないといった問題点があった。また、チャッキング装置使用による破損やスピンドルとの摩擦などで静電気が発生して情報が誤動作する可能性があった。
【００１０】
さらに、前記特許文献３は、紙管の内周面に装着するのにキャリアを保持する専用のキャリア取り付け具によって行わなければならない不便さがあると共に、簡単に装着できないといった問題点があった。
【００１１】
本発明は、上記のような問題点を解決することを課題として開発されたもので非接触ＩＣタグを内筒体または外筒体に取り付けて外表面に現さないようにして、損傷をしたり剥離を防いでＩＣタグに書き込まれた捲装物の固有の情報を確実に読み取ることのできるＩＣタグ付き紙管を提供することを目的とするものである。
【課題を解決するための手段】
【００１２】
上記の課題を解決し、その目的を達成する手段として、本発明では、紙管本体の端部内周面に嵌合する内筒体に非接触ＩＣタグを取り付けたことを特徴とするＩＣタグ付き紙管を開発し、採用した。
【００１３】
また、本発明では紙管本体の端部内周面に肉薄の凹部を形成し、該凹部に嵌合する内筒体の内径と紙管本体の内径に段差をなくして面一に形成すると共に、内筒体に非接触ＩＣタグを取り付けたことを特徴とするＩＣタグ付き紙管を開発し、採用した。
【００１４】
上記のように構成したＩＣタグ付き紙管において、前記内筒体は、短筒状体で筒体の外周面に非接触ＩＣタグを取り付けたことを特徴とするＩＣタグ付き紙管、および前記内筒体は、鍔付き短筒状体で筒体の外周面に非接触ＩＣタグを取り付けたことを特徴とするＩＣタグ付き紙管、および前記非接触ＩＣタグは、筒体の外周面に形成された窪み部に貼着されていることを特徴とするＩＣタグ付き紙管、および前記内筒体は、紙管本体の端部内周面に着脱自在に取り付けられていることを特徴とするＩＣタグ付き紙管を開発し、採用した。
【００１５】
また、本発明では、紙管本体の端部外周面に嵌合する外筒体に非接触ＩＣタグを取り付けたことを特徴とするＩＣタグ付き紙管を開発し、採用した。
【００１６】
上記のように構成したＩＣタグ付き紙管において、前記外筒体は、短筒状体で筒体の内周面に非接触ＩＣタグを取り付けたことを特徴とするＩＣタグ付き紙管、および前記非接触ＩＣタグは、外筒体の内周面に形成された窪み部に貼着されていることを特徴とするＩＣタグ付き紙管、および前記外筒体は、紙管本体の端部外周面に着脱自在に取り付けられていることを特徴とするＩＣタグ付き紙管、および前記非接触ＩＣタグは、上下シートカバー材をラミネート加工して内部にＩＣチップとアンテナを備えた可撓性のあることを特徴とするＩＣタグ付き紙管を開発し、採用した
【発明の効果】
【００１７】
本発明の請求項１によれば、紙管本体の端部内周面に嵌合する内筒体に非接触ＩＣタグを取り付けてあるから、非接触ＩＣタグは、外表面に現れることなく、紙管本体で保護され、他物との接触で損傷することがなくなり、読み取り装置との電波の送受信が確実に行われ、予め書き込まれた固有情報を読み取ることができ、捲装物のトレーサビリティなどを行う事ができる。
【００１８】
本発明の請求項２によれば、紙管本体の内径と内筒体の内径とに段差がなくなり面一に形成されることから、チャッキング装置を使用する時に、スムーズにチャッキングでき内筒体を損傷させることがなくなる。
【００１９】
本発明の請求項３によれば、内筒体が短筒状体で、その筒体の外周面に非接触ＩＣタグを取り付けてあるから、紙管本体との嵌合が容易になると共に、ＩＣタグを内筒体に簡単に取り付けることができる。
【００２０】
本発明の請求項４によれば、内筒体が鍔付き短筒体で、その筒体の外周面に非接触ＩＣタグを取り付けてあるから、内筒体を紙管本体に嵌合すると、鍔部が紙管端面に当り、それ以上入り込まず、正確に取り付けることができると共に、紙管端面から紙粉が脱落、飛散するのを防止でき、巻取り、巻き解きフィルなどの表面に紙粉が付着することなく、その原因によるピンホールの発生がなくなる。また、紙管端部の強度低下を来たさず、内筒体が妄りに外れることがない。
【００２１】
本発明の請求項５によれば、非接触ＩＣタグが筒体の外周面に形成された窪み部に貼着されているから、貼着し易いばかりでなく、非接触ＩＣタグが外表面に突出することなく、嵌合時に損傷や破損することがなくなる。
【００２２】
本発明の請求項６によれば、内筒体が紙管本体の端部内周面に着脱自在に取り付けられているから、紙管本体が損傷して使用できなくなった際、内筒体を取り出すことによって新しい紙管本体に再利用できる。
【００２３】
本発明の請求項７によれば、紙管本体の端部外周面に嵌合する外筒体に非接触ＩＣタグを取り付けてあるから、非接触ＩＣタグは、外面に現れることなく、紙管本体で保護され、他物との接触で損傷することがなくなり、読み取り装置との電波の送受信が確実に行われ、予め書き込まれた固有情報を読み取ることができ、捲装物のトレーサビリティなどを行う事ができる。
【００２４】
本発明の請求項８によれば、外筒体が短筒状体で筒体の内周面に非接触ＩＣタグを取り付けてあるから、紙管本体との嵌号が容易になると共に、ＩＣタグを外筒体に簡単に取り付けることができる。
【００２５】
本発明の請求項９によれば、非接触ＩＣタグが外筒体の内周面に形成された窪み部に貼着されているから、非接触ＩＣタグが外表面に突出することなく、嵌合時に損傷や破損することがなくなる。
【００２６】
本発明の請求項１０によれば、外筒体が紙管本体の端部外周面に着脱自在に取り付けられているから、紙管本体が損傷して使用できなくなった際、外筒体を取り外すことによって新しい紙管本体に再利用できる。
【００２７】
本発明の請求項１１によれば、非接触ＩＣタグは、可撓性を有しているから、内筒体の外周面および外筒体の内周面の曲面に沿って曲がることから、接着不良などなく確実に取り付けることができる。
【発明を実施するための最良の形態】
【００２８】
以下に、本発明の第１実施の形態を添付の図１〜図４に基づいて説明すれば、本発明に係るＩＣタグ付き紙管は、紙管本体１と、その紙管本体１の端部内周面に嵌合される内筒体２と、その内筒体２に取り付けられた非接触ＩＣタグ３とから構成されている。
【００２９】
上記紙管本体１は、帯状の原紙をスパイラル状に何層にも巻回し、下層の原紙と上層の原紙を接着剤で互いに接着して形成した筒状の紙管本体であり、その紙管本体１の端部内周面１ａに内筒体２を着脱自在に密嵌合されている。
【００３０】
内筒体２としては、図１、図２に示すように、紙管本体１の内径と略同じ外径の嵌合部４を持つ紙管製の短筒状体２ａや紙管に限らずプラスチック製、木製の短筒状体でもよく、あるいは図３、図４に示すように、紙管本体１の内径と略同じ外径の嵌合部４と、紙管本体１の外径と略同じ径の鍔部５とからなるプラスチック製の鍔付き短筒状体２ｂでもよい。鍔付き短筒状体２ｂを用いると、紙管端面の保護と、紙管端面から生じる紙粉の脱落、飛散を防止できることから好ましいが、これに限定されるものではない。要するに、紙管本体１の端部内周面に内筒体２が嵌り、使用中に妄りに外れたりしないように密嵌合するものであればよい。
【００３１】
非接触ＩＣタグ３は、内筒体２の外周面の適宜位置に形成された長方形状の窪み部６内に貼着されていて、内筒体２の外周面から突出しないようになっており紙管本体１に嵌合するときの損傷を防止している。
【００３２】
この非接触ＩＣタグ３は、図５，６に示すように、ＩＣチップ７とアンテナ８を備えて構成されており、細幅の上下合成樹脂シートカバー材９，１０によって周囲が溶着され密閉された可撓性に優れた材料から形成されている。
【００３３】
上記ＩＣチップ７にはメモリを有していて固有の情報、例えば、製造年月日、製造ロット、製品名、その他の情報が記録される。アンテナ８は、読み取り装置（図示せず）から発信される電波に共振して電流を発生させ、上記ＩＣチップ７を起動させることができ、起動したＩＣチップ７は上記メモリが記憶している情報をアンテナ８から読み取り装置へ電波で送り、読み取り装置は必要な情報を得ることができるようになっている。
【００３４】
このように構成されたＩＣタグ付き紙管は、非接触ＩＣタグ３が付着された内筒体２の短筒状体２ａまたは鍔付き短筒状体２ｂを紙管本体１の端部内周面１ａに密嵌合することにより、ＩＣチップ７に予め書き込まれたプラスチックフィルム、糸条、布、紙、アルミ箔など捲装物に関する固有情報を読取装置によって読み取ることができ、捲装物の製造管理、品質管理、流通管理ができる。また、ＩＣタグ３は、内筒体２の外周面に取り付けてあるから、紙管本体１の紙層で保護されることになり、運搬輸送中など紙管同士が当っても損傷することがない。さらに、ＩＣタグ３は、内筒体２に窪み部６を設けてその窪み部６の中に貼着するので、突起するＩＣチップ７が内筒体２の外表面から突出することがなく、取り付け時に損傷することがない。また、内筒体２は着脱自在であるから、紙管本体１が損傷すれば取り外して再使用できる。
【００３５】
つぎに、図７〜図１０に示すのは、本発明の第２実施の形態を示すもので、紙管本体１と、その紙管本体１の端部内周面１ａに嵌合される内筒体２と、その内筒体２に取り付けられた非接触ＩＣタグ３とから構成されている点では、前記第１実施の形態と変わることがないが、紙管本体１の端部の構造が異なっており、紙管本体１の内径と内筒体２の内径とが面一になる点で相違している。
【００３６】
すなわち、紙管本体１の端部内周面１ａの紙層を切徐して薄肉部１１と段部１２を設けて凹部１３を形成し、その凹部１３に、内筒体２として図７〜８に示すように、紙管本体１の内径と略同じ外径の嵌合部４を持つ紙管製の短筒状体２ａや紙管に限らずプラスチック製、木製の短筒状体でもよく、あるいは図９〜１０に示すように、紙管本体１の内径と略同じ外径の嵌合部４と鍔部５とからなるプラスチック製の鍔付き短筒状体２ｂでもよいのは、第１実施の形態と同じである。
【００３７】
そして、非接触ＩＣタグ３を内筒体２の外周面の適宜位置に形成された長方形状の窪み部６内に貼着して内筒体２の外周面から突出しないようになっている点、およびＩＣタグ３は、ＩＣチップ７とアンテナ８を備えて構成されており、細幅の上下合成樹脂シートカバー材９，１０によって周囲が溶着され密閉された可撓性に優れた材料から形成されている点は同じである。
【００３８】
このように構成されたＩＣタグ付き紙管は、非接触ＩＣタグ３の付着された内筒体２の短筒状体２ａまたは鍔付き短筒状体２ｂを、紙管本体１の端部内周面の薄肉部１１と段部１２で形成された凹部１３に密嵌合することにより、紙管本体１１の内径と内筒体１２の内径とに段差がなくなって面一になり、チャッキング装置を使用するに際して、何ら支障なく紙管をチャッキングできると共に、短筒状体２ａまたは鍔付き短筒状体２ｂおよび紙管本体１の内側面を損傷させることがない。
【００３９】
また、ＩＣチップ７に予め書き込まれたプラスチックフィルム、糸条、布、紙、アルミ箔など捲装物に関する固有情報を読取装置によって読み取ることができ、捲装物の製造管理、品質管理、流通管理ができること、非接触ＩＣタグ３は、紙管本体１の紙層で保護され、運搬輸送中など紙管同士が当っても損傷することがないこと、非接触ＩＣタグ３は、内筒体２に窪み部６を設けてその窪み部６の中に貼着するので、突起するＩＣチップ７が内筒体２の外表面から突出することがなく、取り付け時に損傷することがないこと、また、内筒体２は着脱自在であるから、紙管本体１が損傷すれば取り外して再使用できることなどの作用効果は前記第１実施の形態と同じである。
【００４０】
つぎに、図１１〜図１２に示すのは本発明の第３実施の形態を示すもので、前記第１および第２実施の形態と異なるのは、紙管本体１の端部内周面１ａに嵌合する内筒体２が、紙管本体２１の外周に嵌合する外筒体２２に代わった点と、非接触ＩＣタグ２３が外筒体２２の内周面に貼り付けられた点が異なっているだけであり、その他は前記第１実施の形態と全く同じであることから説明は省略する。
【００４１】
このように構成されたＩＣタグ付き紙管２１は、ＩＣタグ２３を付着する外筒体２２を紙管本体２１の外周に嵌合することにより、ＩＣチップ７に予め書き込んだプラスチックフィルム、糸条、布、紙など捲装物に関する固有情報を読取装置によって読み取ることができ、捲装物の製造管理、品質管理、流通管理ができる。また、ＩＣタグ２３は、外筒体２２の内周面に貼り付けることにより、紙管本体１の紙層で保護されることになり、輸送中など紙管同士が当っても損傷するような事がない。さらに、外筒体２２は着脱自在であるから、紙管本体１の損傷時に取り外すことができ再使用できる。
【００４２】
以上、本発明の主要な実施の形態について説明したが、本発明は上記の実施例に限定されるものではなく、例えば、非接触ＩＣタグを内筒体の外周面や外筒体の内周面に形成した窪み部に貼着した例で説明したが、紙管本体に窪み部を形成して非接触ＩＣタグを貼着することもあり、要するに、発明の目的を達成でき、かつ発明の要旨を逸脱しない範囲内で種々の設計変更が可能であることは言うまでもない。
【産業上の利用可能性】
【００４３】
本発明は、各種のプラスチックフィルム、各種の糸条、布、紙、金属箔など薄いシート状物などの巻取り製品を巻き付ける紙管に有効的に利用できるものである。
【図面の簡単な説明】
【００４４】
【図１】本発明の第１実施形態の紙管本体と内筒体を示す斜視図である。
【図２】本発明の第１実施形態の内筒体を嵌合した紙管の縦断面図である。
【図３】本発明の別な第１実施形態の紙管本体と内筒体を示す斜視図である。
【図４】本発明の別な第１実施形態の内筒体を嵌合した紙管の縦断面図である。
【図５】ＩＣタグの一部切欠簡略正面図である。
【図６】ＩＣタグの簡略断面図である。
【図７】本発明の第２実施形態の紙管本体と内筒体を示す斜視図である。
【図８】本発明の第２実施形態の内筒体を嵌合した紙管の縦断面図である。
【図９】本発明の別な第２実施形態紙の管本体と内筒体を示す斜視図である。
【図１０】本発明の別な第２実施形態の内筒体を嵌合した紙管の縦断面図である。
【図１１】本発明の第３実施形態の紙管本体と外筒体を示す斜視図である。
【図１２】本発明の第３実施形態の外筒体を嵌合した紙管の縦断面図である。
【符号の説明】
【００４５】
１    紙管本体
２    内筒体
２ａ  短筒状体
２ｂ  鍔付短筒状体
３    非接触ＩＣタグ
６    窪み部
７    ＩＣチップ
８    アンテナ
９    上シートカバー材
１０  下シートカバー材
１３  凹部
２１  紙管本体
２２  外筒体
２３  非接触ＩＣタグ
【図１】
2008024504.tif 000003
【図２】
2008024504.tif 000004
【図３】
2008024504.tif 000005
【図４】
2008024504.tif 000006
【図５】
2008024504.tif 000007
【図６】
2008024504.tif 000008
【図７】
2008024504.tif 000009
【図８】
2008024504.tif 000010
【図９】
2008024504.tif 000011
【図１０】
2008024504.tif 000012
【図１１】
2008024504.tif 000013
【図１２】
2008024504.tif 000014